(57)【要約】      （修正有）【課題】施術中においても，位置ずれが生じないヘッドホンタイプのマッサージ機であって、特に、視神経等の眼球周囲経穴に対する低周波刺激を可能とするヘッドホンタイプ低周波マッサージ機を提供する。【解決手段】人体視神経を低周波で刺激するヘッドホンタイプ低周波マッサージ機１において、人体の目尻近傍の視神経経穴に当接され、低周波電流を供給する一又は複数の電極８ａ〜８ｄと、頭側部の耳の窪みに対応して当接する耳当部５ａ、５ｂと、を有する。【選択図】図１
0003210210.tif 000002
【実用新案登録請求の範囲】
【請求項１】
人体視神経を低周波で刺激する低周波マッサージ機において、
人体の目尻近傍の視神経経穴に当接され、低周波電流を供給する一又は複数の電極と、
頭側部の耳の窪みに対応して当接する耳当部又は外耳道に挿入した装着が可能な耳当部と、
を有することを特徴とするヘッドホンタイプ低周波マッサージ機。
【請求項２】
前記耳当部がイヤーホン又はスピーカーで形成されたことを特徴とする請求項１に記載のヘッドホンタイプ低周波マッサージ機。
【請求項３】
前記電極は、使用時にジェルパッド又はジェル塗布される電極からなることを特徴とする請求項１に記載のヘッドホンタイプ低周波マッサージ機。
【考案の詳細な説明】
【技術分野】
【０００１】
本考案は、視力向上を目的とする等のヘッドホンタイプ低周波マッサージ機、特に、人体の眼球周囲の視神経経穴への低周波刺激を可能とするヘッドホンタイプ低周波マッサージ機に関する。
【背景技術】
【０００２】
この種の目の経穴（ツボ)への低周波印加の施術装置としては、例えば、特開平７-２８９６４９号公報に開示のものが知られている。
当該特開平７-２８９６４９号公報の開示は、発明名称「眼神経の刺激信号発生装置」に係り、「色盲を治療しつつ同時に近視、遠視及び老眼を低い周波数の神経波で改善する方法は知られていなかったことに鑑み、斯かる電気刺激を効率的に行うことのできる簡便な装置を提供すること」を目的とする発明解決課題において（同公報明細書段落番号０００２及び０００３参照）、「使用に際して、少なくともこめかみと眼の上の目窓のツボの２カ所に当接され且つ当接部が保水性材料で覆われた一組の電極と、その一組の電極に神経波形の低周波を印加する発振器を含んでなる」構成とすることにより（同公報特許請求の範囲の請求項１の記載等参照）、「近視、遠視及び老眼を治療すると供に、・・色盲治療、・・疲労感の軽減と治療効果の向上」等の効果を奏するものである(同公報明細書段落番号００１１参照)。
【０００３】
図５は、当該特開平７-２８９６４９号公報に図５として開示される従来の装置全体の斜視図であり、図５において、符号は、１０１は、ヘアバンド、１０２、１０３、１０４、１０５は、電極、１０７は、調整固定金具、１０８は、長孔、１０９は、発振器本体、１１０は、コード、１１１は、押えバンドである（なお、符号は、先行技術であることを明らかにするために、本願出願人において、３桁に変更して説明した。）。
しかしながら、当該特開平７-２８９６４９号公報等に開示される従来のものは、実際上は施術中に施術位置がずれてしまい、位置ずれが生じないように手で押さえ続けなければ、ピンポイントに経穴に当たらなくなるという欠点があった。
【先行技術文献】
【特許文献】
【０００４】
【特許文献１】特開平７-２８９６４９号公報
【考案の概要】
【考案が解決しようとする課題】
【０００５】
そこで、本願考案者らは、施術中においても，位置ずれが生じないヘッドホンタイプ低周波マッサージ機，特に、視神経等の眼球周囲経穴に対する低周波刺激を可能とする低周波マッサージ機を提供することを目的とする。
【課題を解決するための手段】
【０００６】
上記の目的を達成するために、本願請求項１に係る考案は、人体視神経を低周波で刺激するヘッドホンタイプ低周波マッサージ機において、人体の目尻近傍の視神経経穴に当接され、低周波電流を供給する一又は複数の電極と、頭側部の耳の窪みに対応して当接する耳当部又は外耳道に挿入した装着が可能な耳当部と、を有することを特徴とする。
また、本願請求項２に係る考案は、前記請求項１に係るヘッドホンタイプ低周波マッサージ機において、前記耳当部がイヤーホン又はスピーカーで形成されたことを特徴とする。
さらに、本願請求項３に係る考案は、前記請求項１に係るヘッドホンタイプ低周波マッサージ機において、前記電極は、使用時にジェルパッド又はジェル塗布される電極からなることを特徴とする。
【考案の効果】
【０００７】
本考案は、上記の構成からなるので、次の効果を有する。
（１）施術に対して電極位置が位置ズレを起こすことなく正確に視神経に対する低周波刺激を敢行することができる。
（２）施術中に音楽を聴いたり電話を受けたりすることができ、施術時間を有効に活用することができる。
【図面の簡単な説明】
【０００８】
【図１】図１は、本考案に係るヘッドホンタイプ低周波マッサージ機を実施するための一実施例であるヘッドホンタイプ低周波マッサージ機の実施例１を示す図である。
【図２】図２は、前記耳当部５ａ、５ｂが人体の耳に当接されて位置ズレが起きないことを説明するための概略説明図である。
【図３】図３は、本実施例１に係るヘッドホンタイプ低周波マッサージ機１を人体頭部に装着した概略を示す図である。
【図４】図４は、本実施例２に係る低周波マッサージ機の概略を示す図である。
【図５】図５は、当該特開平７-２８９６４９号公報に図５として開示される従来の装置全体の斜視図である。
【考案を実施するための形態】
【０００９】
本考案に係るヘッドホンタイプ低周波マッサージ機を実施するための一実施例を図面に基づき詳細に説明する。
【実施例１】
【００１０】
図１は、本考案に係るヘッドホンタイプ低周波マッサージ機を実施するための一実施例であるヘッドホンタイプ低周波マッサージ機の実施例１を示す図である。
図１において、符号１は、本実施例１に係るヘッドホンタイプ低周波マッサージ機、２は、頭頂ベルト、３は、後頭ベルト、４ａ、４ｂは、回動支持部、５ａ、５ｂは、耳当部、６ａ、６ｂは、耳当調節桿、７ａ、７ｂは、電極部、８ａ、８ｂ、８ｃ、８ｄは、電極、９ａ、９ｂは、電極部調節桿、１０ａ、１０ｂは、接続ケーブル、１２は、低周波発生本体部である。
【００１１】
本実施例１に係るヘッドホンタイプ低周波マッサージ機１は、同ヘッドホンタイプ低周波マッサージ機１を人体の耳に当接させる前記耳当部５ａ、５ｂを具備することを一つの特徴とする。
図２は、前記耳当部５ａ、５ｂが人体の耳に当接されて位置ズレが起きないことを説明するための概略説明図であり、人体右耳について描いたものである。図２において、５ａは、前記耳当部、６ａは、前記耳当調節桿、１１は、耳、１１ａは、耳１１の外郭たる耳輪、１１ｂは、対輪、１１ｃは、対珠と称される人体耳１１の部位である。図２からも明らかなように、人体における耳１１は、人体頭側にあって、頭側後方から前方に傾斜し、後方が頭側から突出する構造となっている。そして、さらに詳しくは、人体耳１１は、一番外側に突出する前記耳輪１１ａが位置し、その内側に対輪１１ｂ及び対輪１１ｂに連なって下方に前記対珠１１ｃが若干浮き上がって耳１１を形成している。
【００１２】
本願考案者らは、本実施例１に係るヘッドホンタイプ低周波マッサージ機１について種々検討を重ね、本実施例１に係るヘッドホンタイプ低周波マッサージ機１を、使用する各個人によって形状の異なる頭部に安定して位置ズレを起こさないためには、当該耳１１が頭部から凹凸状に形成される形に着目して，当該耳１１の前記耳輪１１ａやその内側の前記対輪１１ｂ及び前記対珠１１ｃによって装置の一部を支持することによって位置ずれが生じにくくなることを発見し、本実施例１に係るヘッドホンタイプ低周波マッサージ機１において、これらの耳当部５ａ、５ｂが前記耳１１の窪みに当接される構成としたものである。
【００１３】
すなわち、本実施例１に係るヘッドホンタイプ低周波マッサージ機１においては、人体の目尻近傍の視神経経穴に当接され、低周波電流を供給する一又は複数の電極８ａ、８ｂ、８ｃ、８ｄに加え、人体の頭側部の耳の窪みに対応して当接する耳当部５ａ、５ｂとを具備することを特徴とするものである。
【００１４】
図１及び図２に示すように、本実施例１に係るヘッドホンタイプ低周波マッサージ機１における前記回動支持部４ａ、４ｂ及び前記耳当調節桿６ａ、６ｂは、前記耳当部５ａ、５ｂが正確に前記耳１１の窪みに当接されるように、頭頂ベルト２を伴って自在に回動し、また、自在に長さ調節が可能とするためのものである。このため、回動位置または長さ位置は、別途の締め付けネジ（図示外）等により調節固定可能に設けられる。
また、本実施例１に係るヘッドホンタイプ低周波マッサージ機１においては、装着の際の位置ズレを前記耳当部５ａ、５ｂが前記耳１１の窪みに当接される構成としたが、前記耳当て部５ａ、５ｂの形状を外耳道（耳穴）（図示外）に挿入する形状として、単に耳１１の窪みへの当接ではなく、外耳道への挿入によって前記位置ズレを防止できるようにしても良いものである。
【００１５】
図３は、本実施例１に係るヘッドホンタイプ低周波マッサージ機１を人体頭部に装着した概略を示す図である。
図３に示すように、本実施例１に係るヘッドホンタイプ低周波マッサージ機１における前記電極部７ａ、７ｂは、楕円突状の電極８ａ、８ｂ、８ｃ、８ｄを人体の目尻近傍に当接させて、前記電極８ａ、８ｂ及び同電極８ｃ、８ｄ間に前記低周波発生本体部１２からの低周波パルス電流を印加して、当該部位に局所マッサージを励起させるように装着される。
【００１６】
人体目尻近傍には、眼精疲労や視力回復に効能があるとされる経穴（ツボ）があるとされる。すなわち、人体目尻近傍には、目がすっきりして太陽が照るように晴れ晴れと目の疲れがとれるという「太陽（ツボ位置：目じりとまゆじりの延長線が交わるところ。こめかみのあたり）」や、疲れ目の治療に定番とされる「瞳子りょう(どうしりょう)（ツボ位置：目じりから指１本分外側にある骨のきわ、小さくくぼんだ部分）」、目の充血、結膜炎、頭痛、偏頭痛に効能があるとされる「糸竹空（ツボ位置:まゆ毛のはし（まゆ尻）のくぼみ）」があり、本実施例１に係るヘッドホンタイプ低周波マッサージ機１は、目尻近傍に存するこれらの太陽経穴、瞳子りょう経穴、紫竹空経穴に対し、低周波マッサージを可能とするものである。
【００１７】
これらの太陽経穴、瞳子りょう経穴、紫竹空経穴の経穴位置も使用する者の頭頂形状や後頭形状との位置関係で一定ではないため、位置調節のため及び正確にこれらの経穴位置に当接されるように、本実施例１に係るヘッドホンタイプ低周波マッサージ機１においては、前記回動支持部４ａ、４ｂ及び前記電極部調節桿９ａ、９ｂにより前記後頭ベルト３と共に調節可能に設けられる。そして、前記電極部調節桿９ａ、９ｂは、ギア式のアジャスターとする事により、使用者の頭部形状に合わせる事が可能となる。
【００１８】
さらに、本実施例１に係るヘッドホンタイプ低周波マッサージ機１においては、前記楕円突状の電極８ａ、８ｂ、８ｃ、８ｄは、ゴム状シートで全面が覆われ、使用時には、表面にジェルパッド（図示外）またはジェル塗布により、伝導効率を高め、施術効果を高めるようにした。
【００１９】
これらの電極８ａ、８ｂ、８ｃ、８ｄは、片側の前記電極部７ａにそれぞれ電極８ａ及び８ｂが、他方の前記電極部７ｂにはそれぞれ電極８ｃ及び電極８ｄが配置され、これらの電極８ａ及び８ｂ間、及び電極８ｃ及び８ｄ間にそれぞれ前記低周波発生本体部１２からの低周波電流が印加される。
【００２０】
本実施例１に係るヘッドホンタイプ低周波マッサージ機１における前記低周波発生本体部１２で発生する低周波電流としては、１５１Ｈｚを基本周波数としてこれから導かれる(a)ファーストα波（１９８Ｈｚ）、(b)ミッドα波（１４１Ｈｚ）、(c)スローα波（１４３Ｈｚ）、(d)メディテーションθ波（１４５Ｈｚ）、(e)インスピレーションθ波（１４７Ｈｚ）が印加され、目尻近傍に存する前記太陽経穴、前記瞳子りょう経穴、前記紫竹空経穴を刺激することにより、前記ファーストα波（１９８Ｈｚ）印加では、集中力増加や健やか状態に、前記ミッドα波（１４１Ｈｚ）印加では、脳内神経伝達物質の生成を高めストレス解法、前記スローα波（１４３Ｈｚ）印加では、変性意識状態に保ち、前記メディテーションθ波（１４５Ｈｚ）印加や前記インスピレーションθ波（１４７Ｈｚ）印加では、瞑想の境地で独創的なアイデア・ヒラメキに効能があると言われている。
すなわち、本実施例１では、前記発生本体部１２に、符号を付さないが近視用ボタン、乱視用ボタン、老眼用ボタンを設けた。例えば、近視用ボタンを押下すると１５１Ｈｚで６．６６ｍｓ間隔のパルスを生じ、乱視用ボタン押下時は１４３Ｈｚで７．０４ｍｓ、老眼用ボタン押下時は１４５Ｈｚで６．９２ｍｓ間隔のパルスを、それぞれ生ずるようにした。
【００２１】
本件実施例１に係るヘッドホンタイプ低周波マッサージ機１は、このような前記低周波発生本体部１２で発生する低周波パルス電流で前記太陽経穴、前記瞳子りょう経穴、前記紫竹空経穴を刺激することにより、視力の回復（近視、老眼の回復）を可能とするものである。
なお、この施術の際に、本実施例１に係るヘッドホンタイプ低周波マッサージ機１では、前述してきたように、前記電極８ａ、８ｂ、８ｃ、８ｄとは別途の前記耳当部５ａ、５ｂを頭側部で人体耳１１において窪みを形成する各部位１１ａ−１１ｃに対応させてしっかりと当接するようにしたので、施術中に位置ズレを生じることがなく、継続的に低周波印加を行うことができることとなり、視力回復等施術の効果を高めることとなる。
【実施例２】
【００２２】
次に、本考案に係るヘッドホンタイプ低周波マッサージ機を実施するための他の実施例であるヘッドホンタイプ低周波マッサージ機の実施例２を図面に基づいて説明する。
【００２３】
図４は、本実施例２に係る低周波マッサージ機の概略を示す図であり、本実施例２に係るヘッドホンタイプ低周波マッサージ機は、前述した実施例１に係るヘッドホンタイプ低周波マッサージ機１の前記耳当部５ａ、５ｂに替え、当該位置に人体耳１１の外耳道(図示外)に挿入可能なイヤーホンないしはスピーカーを設けるようにしたものである。
【００２４】
図４において、符号１５は、本実施例２に係るヘッドホンタイプ低周波マッサージ機であり、１６ａ、１６ｂは、スピーカー、１７ａ、１７ｂは、スピーカ支持桿、１７は、音楽源であるＣＤ又はＤＶＤプレーヤー、１８は、オーディオケーブル、１９は、iPhone（登録商標）、iPod(登録商標)等のデジタルオーディオプレーヤーである。その余の符号は実施例１において示した部材と同一の部材は同一の符号で示した。
【００２５】
図４から明らかなように、本実施例２に係るヘッドホンタイプ低周波マッサージ機１５においては、前記オーディオケーブル１８で接続される音楽源である前記ＣＤプレーヤー１７や無線仕様のWi-Fi接続の前記デジタルオーディオプレーヤー１９等に保存される音楽等を聞きながら低周波の施術を受けることができ、退屈な施術時間を有効に活用することができることとなる。さらに前記音楽源を水の流れる河川や波の音や、鳥の鳴き声等の自然の音、あるいは癒し系の音楽、α波誘導音等として施術の効果を高めるようにしてもよい。しかも、当該スピーカー１６ａ、１６ｂは、人体耳１１の外耳道や前記耳輪１１ａや対輪１１ｂ、対珠１１ｃ等の凹凸に対応して挿入ないしは当接されるので、本実施例２に係るヘッドホンタイプ低周波マッサージ機１５が施術の途中で位置ズレを生じることがなく、前述する実施例１に係るヘッドホンタイプ低周波マッサージ機１における位置ズレ防止という特徴をそのまま受け継ぎ、さらに加えて、被施術者のリラックスや施術効果をより高める音楽鑑賞に適するという効果を有し、また、前記オーディオプレーヤー１９に変えて携帯電話（図示外）や、タブレット等の多機能通信装置（図示外）、固定電話(図示外)等に接続するなどすれば、施術中であっても同様に電話による会話を楽しむことができる。
【産業上の利用可能性】
【００２６】
本考案は、視力向上を目的とする人体の眼球周囲の視神経経穴への低周波刺激を可能とする低周波マッサージ機に利用される。
【符号の説明】
【００２７】
１ 実施例１に係るヘッドホンタイプ低周波マッサージ機
２ 頭頂ベルト
３ 後頭ベルト
４ａ、４ｂ 回動支持部
５ａ、５ｂ 耳当部
６ａ、６ｂ 耳当調節桿
７ａ、７ｂ 電極部
８ａ、８ｂ、８ｃ、８ｄ 電極
９ａ、９ｂ 電極部調節桿
１０ａ、１０ｂ 接続ケーブル
１１ 人体耳
１１ａ 耳輪
１１ｂ 対輪
１１ｃ 対珠
１２ 低周波発生本体部
１５ 実施例２に係るヘッドホンタイプ低周波マッサージ機
１６ａ、１６ｂ スピーカー
１７ ＣＤ又はＤＶＤプレーヤー
１８ オーディオケーブル
１９ オーディオプレーヤー
１０１ ヘアバンド
１０２、１０３、１０４、１０５ 電極
１０７ 調整固定金具
１０８ 長孔
１０９ 発振器本体
１１０ コード
１１１ 押えバンド
【図１】
0003210210.tif 000003
【図２】
0003210210.tif 000004
【図３】
0003210210.tif 000005
【図４】
0003210210.tif 000006
【図５】
0003210210.tif 000007